(57)【要約】【課題】  ワイド型ディスプレイにアスペクト比が異なるワイド画像と標準画像を出力して表示させる際の画面のちらつきを抑える。【解決手段】  デジタルカメラ１０は、映像信号出力モードとして、特殊出力モードを備えている。特殊出力モードでは、ワイド画像ＷＰを出力する場合には、ワイド画像ＷＰの上下にブランクマスク３３ａ，３３ｃを付加して出力画像ＯＰＷを生成する。標準画像ＮＰを出力する場合には、標準画像ＮＰの横に横ブランクマスク３３ｃを付加することでワイドアスペクト比の画面を生成し、さらに、この画面に上下ブランクマスク３３ａ，３３ｃを付加して出力画像ＯＰＮ２を生成する。ワイド型ディスプレイ３１は、受信した映像信号が、標準画像ＮＰ及びワイド画像ＷＰのいずれであっても、どちらもワイド画像ＷＰとして認識して、表示処理を行う。アスペクト比に応じた表示処理の切り替えが不要になるので、画面のちらつきが抑えられる。【選択図】        図３
2005073164.tif 000002
【特許請求の範囲】
【請求項１】
画面のアスペクト比が標準アスペクト比である標準画像と、前記標準アスペクト比よりも横長のワイドアスペクト比であるワイド画像の２種類の画像の映像信号を外部ディスプレイへ出力する映像信号出力方法において、
前記ワイド画像を出力する際には、前記ワイド画像の上下に、上下ブランクマスクを付加することにより画面全体のアスペクト比を標準アスペクト比に変換して映像信号を出力するとともに、前記標準画像を出力する際には、前記標準画像のアスペクト比を変更することなくその横に横ブランクマスクを付加することでワイドアスペクト比の画面を生成し、さらに、この画面の上下に前記上下ブランクマスクを付加した形態で映像信号を出力することを特徴とする映像信号出力方法。
【請求項２】
映像信号出力モード切り替え手段によって選択されたモードに応じて、前記標準画像に上下及び横の各ブランクマスクを付加して映像信号を出力する特殊出力モードと、前記標準画像に前記各ブランクマスクを付加することなくそのままの形態の映像信号を出力する標準出力モードとが切り替えられることを特徴とする請求項１記載の映像信号出力方法。
【請求項３】
画面のアスペクト比が標準アスペクト比である標準画像と、前記標準アスペクト比よりも横長のワイドアスペクト比であるワイド画像の２種類の画像を外部ディスプレイへ再生出力する画像出力手段を備えたデジタルカメラにおいて、
前記画像出力手段は、前記ワイド画像を再生出力する際には、前記ワイド画像の上下に、上下ブランクマスクを付加することにより標準アスペクト比に変換された映像信号を出力するとともに、他方、前記標準画像を再生出力する際には、前記標準画像の横に横ブランクマスクを付加してワイドアスペクト比の画面を生成し、さらに、前記上下ブランクマスクを付加した形態で映像信号を出力する特殊出力モードを備えたことを特徴とするデジタルカメラ。
【請求項４】
前記画像出力手段は、前記特殊出力モードの他に、前記標準画像をそのままの形態で映像信号を出力する標準出力モードを備えており、
これら特殊出力モードと標準出力モードとを切り替える映像信号出力モード選択手段が設けられていることを特徴とする請求項３記載のデジタルカメラ。
【発明の詳細な説明】
【技術分野】
【０００１】
本発明は、映像信号を外部ディスプレイへ出力する映像信号出力方法及びデジタルカメラに関するものである。
【背景技術】
【０００２】
画面のアスペクト比が標準のアスペクト比（例えば、４：３）である標準画像の他に、横長のワイドアスペクト比（例えば、１６：９）を持つワイド画像が知られている。このワイド画像は、ハイビジョンやワイドクリアビジョンなどの放送や、多くの映像ソフトに採用されており、ワイドアスペクト比に対応したワイド型ディスプレイや、プレーヤーやカメラなど前記ディスプレイへ映像信号を出力する映像信号出力装置（例えば、下記特許文献１及び下記特許文献２参照）を内蔵した機器の普及に伴って、その数が増加してきている。
【０００３】
映像信号出力装置は、ワイド画像の映像信号を出力する場合には、例えば、画面の上下に黒いブランクマスクを付加することにより、画面のアスペクト比を標準アスペクト比に変換して出力する。こうすることで、標準のアスペクト比を持つ標準型ディスプレイと、ワイド型ディスプレイの両方に対応できるようにしている。
【０００４】
標準型ディスプレイは、通常、ワイド画像に対応していないため、ワイド画像を受信すると適正に表示されない場合がある。ワイド画像の映像信号を標準アスペクト比で出力することにより、ワイド画像であっても標準画像として受信することができる。標準型ディスプレイは、受信した映像信号をそのままディスプレイ画面に表示する。したがって、標準画像は、そのアスペクト比とディスプレイ画面のアスペクト比が同じであるので、標準画像を受信した場合には、それが標準型ディスプレイの画面一杯に表示される。また、ワイド画像を受信した場合には、受信した映像信号に付加されている上下のブランクマスクがそのまま画面上に表示される。
【０００５】
ワイド型ディスプレイは、映像信号を受信したときに、上下ブランクマスクの有無によって前記ワイド画像と標準画像とを識別する機能を有している。そして、ワイド画像である場合には、上下のブランクマスクをカットすることにより、映像信号のアスペクト比とディスプレイ画面のそれとを合わせる。これにより、ワイド画像がディスプレイ画面一杯に表示される。また、受信した画像が標準画像である場合には、例えば、ワイド型ディスプレイは、標準画像の横にブランクマスクを付加することにより映像信号のアスペクト比をディスプレイ画面のそれに合わせて、標準画像を表示する。
【０００６】
ところで、近年、デジタルスチルカメラが急速に普及している。このデジタルスチルカメラの多くには、撮影画像を前記ディスプレイに表示できるように、カメラ本体外部のディスプレイに撮影画像の映像信号を出力するビデオ出力端子が設けられている。このビデオ出力端子に外部ディスプレイを接続すれば、カメラユーザーは、外部ディスプレイの大きな画面で撮影画像を観賞することができる。また、このデジタルスチルカメラでも、標準画像の他、ワイド画像を記録できるようにすることが検討されている。
【０００７】
【特許文献１】特開平２−２０８６８１号公報
【特許文献２】特開平６−２６８９３２号公報
【発明の開示】
【発明が解決しようとする課題】
【０００８】
しかしながら、上述したように、ワイド型ディスプレイは、標準画像とワイド画像のアスペクト比を識別してそれぞれに応じた表示処理を行わなければならない。このため、標準画像とワイド画像とが混在した複数の撮影画像を順次出力するスライドショーなどを実行させる場合には、処理の遅延によって画面にちらつきが発生する等、画面が見づらくなってしまうことが懸念されている。
【０００９】
本発明は、ディスプレイの表示処理の遅延に起因する画面のちらつき等の発生を防止する映像信号出力方法及びデジタルカメラを提供することを目的とする。
【課題を解決するための手段】
【００１０】
本発明の映像信号出力方法は、画面のアスペクト比が標準アスペクト比である標準画像と、前記標準アスペクト比よりも横長のワイドアスペクト比であるワイド画像の２種類の画像の映像信号を外部ディスプレイへ出力する映像信号出力方法において、前記ワイド画像を出力する際には、前記ワイド画像の上下に、上下ブランクマスクを付加することにより画面全体のアスペクト比を標準アスペクト比に変換して映像信号を出力するとともに、前記標準画像を出力する際には、前記標準画像のアスペクト比を変更することなくその横に横ブランクマスクを付加することでワイドアスペクト比の画面を生成し、さらに、この画面の上下に前記上下ブランクマスクを付加した形態で映像信号を出力することを特徴とする。
【００１１】
なお、映像信号出力モード切り替え手段によって選択されたモードに応じて、前記標準画像に上下及び横の各ブランクマスクを付加して映像信号を出力する特殊出力モードと、前記標準画像に前記各ブランクマスクを付加することなくそのままの形態の映像信号を出力する標準出力モードとが切り替えられるようにするとことが好ましい。
【００１２】
また、本発明のデジタルカメラは、画面のアスペクト比が標準アスペクト比である標準画像と、前記標準アスペクト比よりも横長のワイドアスペクト比であるワイド画像の２種類の画像を外部ディスプレイへ再生出力する画像出力手段を備えたデジタルカメラにおいて、前記画像出力手段は、前記ワイド画像を再生出力する際には、前記ワイド画像の上下に、上下ブランクマスクを付加することにより標準アスペクト比に変換された映像信号を出力するとともに、他方、前記標準画像を再生出力する際には、前記標準画像の横に横ブランクマスクを付加してワイドアスペクト比の画面を生成し、さらに、前記上下ブランクマスクを付加した形態で映像信号を出力する特殊出力モードを備えたことを特徴とする。
【００１３】
なお、前記特殊出力モードの他に、前記標準画像をそのままの形態で映像信号を出力する標準出力モードを備え、これら特殊出力モードと標準出力モードとを切り替える映像信号出力モード選択手段を設けることが好ましい。
【発明の効果】
【００１４】
画面のアスペクト比が標準アスペクト比である標準画像と、前記標準アスペクト比よりも横長のワイドアスペクト比であるワイド画像の２種類の画像の映像信号を外部ディスプレイへ出力する場合に、前記ワイド画像を出力する際には、前記ワイド画像の上下に、上下ブランクマスクを付加することにより画面全体のアスペクト比を標準アスペクト比に変換して映像信号を出力するとともに、前記標準画像を出力する際には、前記標準画像のアスペクト比を変更することなくその横に横ブランクマスクを付加することでワイドアスペクト比の画面を生成し、さらに、この画面の上下に前記上下ブランクマスクを付加した形態で映像信号を出力するようにしたから、ワイド型ディスプレイの表示処理の遅延に起因する画面のちらつき等の発生を防止することができる。
【発明を実施するための最良の形態】
【００１５】
図１に示すデジタルカメラ１０は、カメラ本体１１の前面に、撮影レンズが組み込まれたレンズ鏡筒１２が設けられており、上面には、電源ボタン１３及びシャッタボタン１４が設けられている。
【００１６】
背面には、ＬＣＤパネル１５，ファインダ接眼窓１６，汎用キー１７，動作モード切り替えつまみ１８，メニューボタン１９，キャンセルボタン２１，アスペクト比切り替えつまみ２２が設けられている。
【００１７】
動作モード切り替えつまみ１８は、撮像した撮影画像をメモリーカードに記録する撮影モードと、メモリーカードに記録された画像を再生する再生モードとを切り替える。
【００１８】
ＬＣＤパネル１５は、画像再生に使用される他、撮影モードのときには、フレーミング用のスルー画を表示する電子ビューファインダとしても機能する。また、ＬＣＤパネル１５は、各種の設定をするための設定画面を表示する。メニューボタン１９を押下すると、撮影モードあるいは再生モードからセットアップモードへ移行して、ＬＣＤパネル１５に設定画面が表示される。この設定画面では、露出値，色合い，ＩＳＯ感度、記録画素数などの画質調整に関する項目や、セルフタイマーの設定，測光方式の切り替え，デジタルズームを使用するか否かなどの設定が行われる。デジタルカメラ１０は、この設定画面で設定された条件に応じて動作する。
【００１９】
ＬＣＤパネル１５にスルー画を表示する際には、スルー画とともにこれら設定項目の選択状況などを示す各種のインジケーターや文字情報が表示される。また、メニューボタン１９は、選択した項目や処理を、確定したり実行するための確定／実行ボタンとしても機能する。キャンセルボタン２１は、選択した項目や操作をキャンセルする。
【００２０】
汎用キー１７は、再生する画像を選択したり、設定画面内の項目を選択するためのカーソルを移動するカーソルシフトキーとして機能する。汎用キーは、カーソルを左右方向に移動させる左シフトキー及び右シフトキー、上下方向に移動させる上下シフトキーとからなる。左右の各シフトキーは押しボタン式であり、上下シフトキーは、水平方向の軸を中心に上下方向に揺動自在に設けられている。また、上下シフトキーは、撮影モードで動作している場合には、ズームボタンとして機能する。
【００２１】
また、アスペクト比切り替えつまみ２２は、撮影画像の画面のアスペクト比を切り替えるためのもので、このつまみ２２によって、標準アスペクト比（４：３）とワイドアスペクト比（１６：９）のいずれかが選択される。このアスペクト比切り替え機能を用いることで、ユーザーは、撮影シーンに応じて所望のアスペクト比を選択することができる。撮影画像は、選択されたアスペクト比に応じて標準画像及びワイド画像としてそれぞれ記録される。
【００２２】
アスペクト比の切り替え方法は、撮像手段であるＣＣＤイメージセンサ（図６の符号５８参照）の走査方法を切り替えて、撮影画像の画素数を調整してアスペクト比を変更する方法や、所定の画素数で取り込んだ後、画像処理によって一方のアスペクト比の画像から他方のアスペクト比の画像を抽出する方法など各種の方法が考えられる。本例のデジタルカメラ１０は、後者を採用しており、前記つまみ２２の選択位置に関わらずＣＣＤイメージセンサ５８が撮影画像を常に標準アスペクト比で取り込み、前記つまみ２２によってワイドアスペクト比が選択されている場合には、いったん取り込んだ標準画像から１６：９の画面を抽出し、この抽出した画面をワイド画像として記録する。
【００２３】
カメラ本体１１の側面には、ビデオ出力端子２４が設けられている。このビデオ出力端子２４は、輝度信号（Ｙ）と色差信号（Ｃ）からなるコンポジットの映像信号を、ワイド型ディスプレイ３１や標準型ディスプレイ３２などの外部ディスプレイに出力する。ビデオ出力端子２４は、撮影モードにおいては、スルー画の映像信号を出力し、再生モードにおいては、メモリーカード５１から読み出された撮影画像の映像信号を出力する。このビデオ出力端子２４と外部ディスプレイとを接続することにより、再生画像の観賞や、スルー画のモニタリングを大画面のディスプレイで行うことができる。
【００２４】
デジタルカメラ１０は、ビデオ出力端子２４から出力する映像信号の出力モードとして、図２に示す標準出力モードと、図３に示す特殊出力モードの２種類の出力モードを備えている。
【００２５】
図２に示すように、標準出力モードは、従来技術と同様に、標準画像ＮＰについてはそれをそのまま出力画像ＯＰＮ１として出力し、ワイド画像ＷＰを出力する場合には、その上下に上下ブランクマスク３３ａ，３３ｂを付加することにより出力画像ＯＰＷを生成し、生成された出力画像ＯＰＷを映像信号に変換して出力するモードである。
【００２６】
図２（Ａ）は、標準出力モードを使用してワイド型ディスプレイ３１に対して映像信号を出力した場合の表示例を示す。ワイド型ディスプレイ３１は、各出力画像ＯＰＷ，ＯＰＮ１の映像信号を調べて、上下ブランクマスク３３ａ，３３ｂの有無によって両者のアスペクト比を検出する。映像信号が出力画像ＯＰＷである場合には、上下ブランクマスク３３ａ，３３ｂをカットする。これにより、出力画像ＯＰＷが１６：９のディスプレイ画面３１ａと同じアスペクト比に変更され、ワイド画像ＷＰが画面一杯に表示される。映像信号が出力画像ＯＰＮ１である場合には、出力画像ＯＰＮ１の両脇にマスクを付加することにより出力画像ＯＰＮ１のアスペクト比を画面３１ａのアスペクト比に合わせて表示する。
【００２７】
図２（Ｂ）は、標準出力モードを使用して標準型ディスプレイ３２に対して映像信号を出力した場合の表示例を示す。標準型ディスプレイ３２は、各出力画像ＯＰＷ，ＯＰＮ１をそのままディスプレイ画面３２ａに表示する。このため、標準アスペクト比の出力画像ＯＰＮ１は、４：３のディスプレイ画面３２ａとアスペクト比が同じであるので、画面一杯に表示される。ワイドアスペクト比の出力画像ＯＰＷは、上下ブランクマスク３３ａ，３３ｂがカットされずにそのままの形態でディスプレイ画面３２ａに表示される。
【００２８】
他方、図３に示すように、特殊出力モードは、ワイド画像ＷＰを出力する場合には、標準出力モードと同様であるが、標準画像ＮＰを出力する場合には、標準画像ＮＰの横に横ブランクマスク３３ｃを付加することにより画面全体のアスペクト比をワイドアスペクト比に変更した上で、さらに、その上下に上下ブランクマスク３３ａ，３３ｂを付加して出力画像ＯＰＮ２を生成し、これを映像信号に変換して出力する。
【００２９】
ワイド型ディスプレイ３１は、上下ブランクマスク３３ａ，３３ｂの有無によって標準画像ＮＰとワイド画像ＷＰとを識別するが、特殊出力モードにおいては、標準画像ＮＰ及びワイド画像ＷＰのどちらにも上下ブランクマスク３３ａ，３３ｂが付加される。このため、ワイド型ディスプレイ３１は、どちらの画像もワイド画像ＷＰとして認識し、ワイド画像ＷＰに対する表示処理を実行する。
【００３０】
図３（Ａ）は、特殊出力モードを使用してワイド型ディスプレイ３１に対して映像信号を出力した場合の表示例を示す。ワイド型ディスプレイ３１は、ワイド画像ＷＰに対する表示処理では、受信した出力画像ＯＰＮ２又は出力画像ＯＰＷの上下部分（上下ブランクマスク３３ａ，３３ｂ）をカットすることにより表示画像のアスペクト比をワイドアスペクト比に変更して、ディスプレイ画面３１ａに表示する。映像信号がワイド画像ＷＰの出力画像ＯＰＷである場合には、上下ブランクマスク３３ａ，３３ｂがカットされて、ワイド画像ＷＰがディスプレイ画面３１ａ一杯に表示される。また、標準画像ＮＰの出力画像ＯＰＮ２に対しても同様に、上下ブランクマスク３３ａ，３３ｂがカットされて、残りの部分がディスプレイ画面３１ａに表示される。ただし、出力画像ＯＰＮ２には、上下ブランクマスク３３ａ，３３ｂに加えて、横ブランクマスク３３ｃが付加されているから、ディスプレイ画面３１ａには、標準画像ＮＰの両脇に横ブランクマスク３３ｃが表示される。
【００３１】
このように、特殊出力モードを使用すれば、ワイド型ディスプレイ３１は、受信した映像信号から画像のアスペクト比を調べて、各アスペクト比に応じて表示処理を切り替える必要がなくなる。これにより、ワイド型ディスプレイ３１の表示処理の負荷が軽減されるので、処理の遅延が生じにくくなり、画面のちらつき等が防止されて、異なるアスペクト比の画像を順次表示する場合でも、スムーズな表示が可能になる。また、特殊出力モードを使用すれば、ワイド型ディスプレイに、アスペクト比に応じて表示処理を切り替える回路を設ける必要が無くなるので、ワイド型ディスプレイの回路の簡略化、ひいては低コスト化にも寄与する。
【００３２】
図３（Ｂ）は、特殊出力モードを使用して標準型ディスプレイ３２に対して映像信号を出力した場合の表示例を示す。標準型ディスプレイ３２は、受信した出力画像ＯＰＮ２をそのままディスプレイ画面３２ａに表示するので、標準画像ＮＰの場合には、ディスプレイ画面３２ａには、標準画像ＮＰとともにその周りに付加された上下ブランクマスク３３ａ，３３ｂ及び横ブランクマスク３３ｃが表示される。ワイド画像ＷＰの場合には、ワイド画像ＷＰの上下に上下ブランクマスク３３ａ，３３ｂが表示される。
【００３３】
この映像出力モード（標準出力モードと特殊出力モード）の切り替えは、例えば、図４に示すような選択画面３６から行われる。ボックス３６ａ内には２つのモード名が表示されており、これらのいずれかにカーソル３７を合わせることによりモード選択が行われる。
【００３４】
なお、本例では、特殊出力モードにおいて横ブランクマスク３３ｃを標準画像の両脇に付加して、標準画像ＮＰが画面の中央に配置されるようにしているが、図５に示す出力画像ＯＰＮ３のように、横ブランクマスク３３ｃを標準画像ＮＰの片側に配置してもよい。こうすると、標準画像ＮＰが一方の側に片寄せして配置されることになるが、両脇に分散された２つのブランクエリアを１つにまとめることができるので１つの横ブランクマスク３３ｃの幅が広がる。こうしたまとまったエリアは、データ表示等にも使用しやすい。
【００３５】
図５（Ｂ）は、横ブランクマスク３３ｃを、ストロボモードや撮影モードの種類等、各種撮影条件やカメラの設定状況を示すインジケータ３８を表示するエリアとして利用した例を示す。インジケータ３８は、周知のように、文字やマークからなり、撮影モードにおいてスルー画とともに画面上に表示される。横ブランクマスク３３ｃのようなエリアが無い場合には、インジケータ３８を、スルー画内に表示せざるを得ず、撮影画像とインジケータ３８の重なりが多く、フレーミングがしづらいという不具合があった。しかし、本例のように、画像を片寄せして配置すれば、横ブランクマスク３３ｃをインジケータ３８の表示エリアとして有効に使用することができるので、スルー画内に表示しなければならないインジケータ３８の量が減り、フレーミングがしやすくなる。
【００３６】
図６は、デジタルカメラ１０の構成を示すブロック図である。ＤＳＰ（Digital Signal Processor）４１は、メインＣＰＵ４２及び画像処理回路４３を備えている。メインＣＰＵ４２は、操作部４４から入力される操作信号に応じてデジタルカメラ１０の本体各部を制御する。ＲＯＭ４６は、メインＣＰＵ４２が実行する制御プログラムや各種の制御用データを記憶する。フラッシュメモリ４７は、周知のように、データが書き換えが可能な不揮発性メモリであり、このメモリには、映像出力モード設定情報のなど、ユーザーによって設定された各種の設定情報が記憶される。スピーカー４８は、警告音や動画の音声を再生する。音声信号処理回路４９は、メインＣＰＵ４２は、スピーカー４８を駆動する。メモリーカード５１は、カメラ本体１１に着脱自在にセットされ、撮影画像データを記憶する。メディアコントローラ５２は、メモリーカード５１へアクセスして画像ファイルの書き込みと読み込みとを行う。
【００３７】
レンズ鏡筒１２内には、撮影レンズ５３や絞りからなる撮影光学系が組み込まれている。撮影レンズ５３は、モータを含むレンズ駆動機構５４によって駆動される。レンズ駆動機構５６は、撮影レンズ５３を光軸方向に移動させる。レンズ駆動回路５７は、メインＣＰＵ４２からの指令に基づいてレンズ駆動機構５６を制御して、光学撮影倍率の変更と焦点調節を行う。
【００３８】
撮影光学系の背後には、撮像素子であるＣＣＤイメージセンサ５８が配置されている。ＣＣＤイメージセンサ３３は、周知のように、多数の受光素子をマトリックス状に配列された光電面を備えており、撮影光学系を通過し、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００３９】
ＣＣＤイメージセンサ５８は、４：３のアスペクト比の撮影画像を取り込めるように、縦横の画素数が決められている。ＣＣＤイメージセンサ５８は、ＣＣＤドライバ５９から供給される垂直転送クロック及び水平転送クロックに同期して、画素毎に蓄積された電荷を１ラインずつシリアルな撮像信号として出力する。各画素の電荷蓄積時間（露出時間）は、ＣＣＤドライバ５９から与えられる電子シャッタ駆動信号によって決められる。
【００４０】
ＣＣＤイメージセンサ５８から取り込まれたアナログの撮像信号は、アナログ信号処理回路６１に入力される。アナログ信号処理回路６１は、アナログ信号のノイズを除去するとともに、ゲインを調節した後、アナログ信号をデジタル信号に変換し、この画像データを生成する。この画像データは、各画素毎にＲ，Ｇ，Ｂの濃度値を持つＣＣＤ−ＲＡＷデータであり、このＣＣＤ−ＲＡＷデータがＤＳＰ４１へ入力される。
【００４１】
ＣＣＤイメージセンサ５８は、撮影モードが選択されると、スルー画の取り込みを開始し、シャッタボタン１４が全押しされて本撮影指示がなされたときに、スルー画の取り込みをいったん中断して、本撮影を行う。本撮影が終了すると、スルー画の取り込みが再開される。取り込まれたスルー画や本撮影画像は、ＤＳＰ４１を介してフレームメモリ６２へ書き込まれる。
【００４２】
フレームメモリ６２は、画像処理回路４３が画像データに対して各種信号処理を施す際に使用する作業用メモリである。フレームメモリ６２は、データバス６３を介して、ＤＳＰ４１と接続されている。フレームメモリ６２としては、例えば、ＳＤＲＡＭが使用される。フレームメモリ６２に書き込まれた画像は、ＤＳＰ４１によって各種の画像処理が施される。
【００４３】
画像処理回路４３は、画質補正処理回路６４，ＹＣ処理部６５，圧縮伸張処理部６６，出力画像生成部６７からなる。画質補正処理回路６４は、画像データに対して、ガンマ補正，シャープネス補正，コントラスト補正などの補正処理を施す。ＹＣ処理部６５は、ＣＣＤ−ＲＡＷデータを、輝度データと色差データとからなるＹＣデータへ変換する。圧縮伸張処理部６６は、ＹＣデータに対して圧縮及び伸張処理を行う。画像データがメモリーカード５１に記録される際には、圧縮伸張処理部６６によって圧縮処理が施される。また、再生モードにおいては、ＤＳＰ４１は、メモリーカード５１から読み出された画像データが取り込まれると、その画像データに対して伸張処理を施す。
【００４４】
出力画像生成部６７は、撮影モードや再生モードにおいて、ディスプレイに対して画像を出力するための出力画像を生成する。出力画像生成部６７は、画像データに対して前記各ブランクマスク３３ａ〜３３ｃを付加することにより、ＬＣＤパネル１５や、ビデオ出力端子２４を介して外部ディスプレイに出力するための出力画像を生成する。
【００４５】
図７のフローチャートに示すように、出力画像生成部６７は、まず、画像データのアスペクト比を検出して、ワイド画像ＷＰである場合には、上下ブランクマスク３３ａ，３３ｂを付加して、出力画像ＯＰＷを生成する。
【００４６】
他方、標準画像ＮＰである場合には、映像信号出力モードに応じた出力画像生成処理を実行する。すなわち、標準出力モードである場合には、ブランクマスクを付加することなく、標準画像ＮＰをそのまま出力画像ＯＰＮ１として出力する。特殊出力モードである場合には、上下ブランクマスク３３ａ，３３ｂに加えて、横ブランクマスク３３ｃを付加して出力画像ＯＰＮ２を生成する。
【００４７】
ＶＲＡＭ６９は、表示出力用に使用されるメモリであり、出力画像生成部６７によって生成された出力画像が書き込まれる。ビデオエンコーダ７１は、ＶＲＡＭ６９から出力画像を読み出して、デジタルな画像データをアナログのコンポジット信号（映像信号）に変換する。この映像信号がＬＣＤドライバ７０やビデオ出力端子２４へ出力される。ＬＣＤドライバ７０は、前記映像信号に基づいてＬＣＤパネル１５を駆動する。
【００４８】
以下、上記構成による作用について説明する。デジタルカメラ１０は、撮影モードにおいてＬＣＤパネル１５にスルー画を再生表示する。また、ビデオ出力端子２４は、スルー画の映像信号を外部ディスプレイに出力する。スルー画を再生表示する際には、ＤＳＰ４１は、ＣＣＤイメージセンサ５８から取り込まれた画像データに対して画質補正処理及びＹＣ処理を施した後、画像のアスペクト比及び選択された映像信号出力モードに応じて、出力画像生成処理を行って出力画像を生成する。シャッタボタン１４が押下されると、本画像をメモリーカード５１に記録する。これらスルー画や本画像のアスペクト比は、アスペクト比切り替えつまみ２２によって選択されたモードに応じて決められる。
【００４９】
また、再生モードにおいては、ＤＳＰ４１は、メモリーカード５１から読み出された画像データを伸張して、伸張された画像データに基づいて出力画像生成処理を施す。この出力画像生成処理は、スルー画のそれと同様に、選択された映像信号出力モードに応じて行われる。特殊出力モードでは、ワイド画像ＷＰと標準画像ＮＰのいずれにも上下ブランクマスク３３ａ，３３ｂが付加した形態で出力されるので、ワイド画像ＷＰと標準画像ＮＰとが混在している場合であっても、ワイド型ディスプレイ３１は、受信した映像信号をすべてワイド画像として処理することができる。このため、表示処理の負荷が軽減されるので、画面のちらつきが無く、スムーズに画像が表示される。
【００５０】
なお、本例では、映像出力モードの切り替えを選択画面から行うようにしているが、前記アスペクト比切り替えつまみと同様に、カメラ本体に映像モードの切り替えを行う切り替えつまみを設け、これによりモード切り替えを行ってもよい。こうすれば、つまみの位置に基づいて映像出力モードがどちらにセットされているかを容易に識別することができる。
【００５１】
また、アスペクト比の切り替えと、映像出力モードの切り替えとを連動させてもよい。というのは、ワイド型ディスプレイを使用するユーザーは、撮影画像のアスペクト比をワイド型ディスプレイに合ったワイドアスペクト比を選択することが多いと考えられ、反対に、標準型ディスプレイを使用するユーザーは、標準アスペクト比を選択することが多いと考えられる。そうだとすれば、撮影画像のアスペクト比としてワイドアスペクト比を選択した場合には、自動的に映像出力モードが特殊出力モードに切り替えられ、他方、標準アスペクト比を選択した場合には、自動的に標準出力モードに切り替えられるようにしておけば、ユーザーの使用形態と合致するので、便利である。
【００５２】
また、上記実施形態では、映像出力装置として、デジタルカメラを例に説明したが、本発明を、デジタルカメラ以外の映像出力装置に適用してもよい。また、上記実施形態では、標準出力モードと特殊出力モードの２つの映像出力モードを備えた映像出力装置を例に説明したが、標準出力モードがなく、常に特殊出力モードで映像信号を出力するようにしてもよい。
【図面の簡単な説明】
【００５３】
【図１】デジタルカメラの外観図である。
【図２】標準出力モードの出力画像とその表示例の説明図である。
【図３】特殊出力モードの出力画像とその表示例の説明図である。
【図４】映像出力モード選択画面の説明図である。
【図５】画像本体を片寄せして横ブランクマスクを付加する例の説明図である。
【図６】デジタルカメラの電気構成の概略を示すブロック図である。
【図７】出力画像生成手順を示すフローチャートである。
【符号の説明】
【００５４】
１０  デジタルカメラ
１１  カメラ本体
２４  ビデオ出力端子
３１  ワイド型ディスプレイ
３２  標準型ディスプレイ
３３ａ  上ブランクマスク
３３ｂ  下ブランクマスク
３３ｃ  横ブランクマスク
４１  ＤＳＰ
６７  出力画像生成部
ＮＰ  標準画像
ＷＰ  ワイド画像
ＯＰＮ１，ＯＰＮ２，ＯＰＮ３，ＯＰＷ  出力画像
【図１】
2005073164.tif 000003
【図２】
2005073164.tif 000004
【図３】
2005073164.tif 000005
【図４】
2005073164.tif 000006
【図５】
2005073164.tif 000007
【図６】
2005073164.tif 000008
【図７】
2005073164.tif 000009